(57)【特許請求の範囲】
【請求項１】
内部に収容空間を区画するケースと、前記収容空間を複数の空間に区分するフレームとを備え、
前記収容空間内には、水道水を浄化する浄水カートリッジ、前記浄水カートリッジによって浄化された水を電気分解する電解槽、及び、前記電解槽を制御する制御回路が実装された回路基板が配された電解水生成装置であって、
前記フレームは、前記収容空間を、前記浄水カートリッジが収容される第１空間と前記電解槽及び前記回路基板が収容される第２空間とに区分する第１隔壁と、
前記第２空間を、前記電解槽が収容される第３空間と前記回路基板が収容される第４空間とに区分する第２隔壁とを有し、
前記第１隔壁と前記第２隔壁とは、平面視でＴ字状に固着され、
前記第４空間は、前記第１隔壁及び前記第２隔壁によって、前記第１空間及び前記第３空間から防水状態で隔離され、
前記浄水カートリッジと前記電解槽とは、第１配管を介して接続され、
前記フレームは、前記第１空間及び前記第４空間の下方に、前記第１配管が収容される第５空間を区画する第３隔壁をさらに有し、
前記第１隔壁の下端及び前記第２隔壁の下端は、前記第３隔壁と固着され、
前記第４空間は、前記第３隔壁によって、前記第５空間から防水状態で隔離され、
前記電解槽には、前記電解槽で生成された電解水素水を送出する第２配管と、前記電解槽で生成された電解酸性水を送出する第３配管とが接続され、
前記第２配管及び前記第３配管は、前記第５空間に収容され、
前記ケースは、前記第３隔壁と平行にのび、前記ケースの底部を閉じる底壁を有し、
前記底壁の少なくとも一部は、その下方に第６空間を形成する上げ底部を含んでいることを特徴とする電解水生成装置。
【請求項２】
前記第２配管には、前記電解水素水を前記ケースの外部に送出する水素水送出ホースが接続され、
前記第３配管には、前記電解酸性水を前記ケースの外部に送出する酸性水送出ホースが接続され、
前記水素水送出ホース及び前記酸性水送出ホースは、前記第６空間を通って前記ケースの外部へとのびている請求項１に記載の電解水生成装置。
【請求項３】
前記水素水送出ホース及び前記酸性水送出ホースは、平面視で前記第２隔壁より前記第３空間の側に設けられている請求項２に記載の電解水生成装置。
【請求項４】
前記回路基板には電源ケーブルが接続され、
前記電源ケーブルは、前記第６空間を通って前記ケースの外部へとのび、平面視で前記第２隔壁より前記第４空間の側に設けられている請求項３に記載の電解水生成装置。
【請求項５】
前記ケースは、前記電源ケーブルを係止するケーブル係止手段を有する請求項４に記載の電解水生成装置。
【発明の詳細な説明】
【技術分野】
【０００１】
本発明は、水を電気分解することにより電解水を生成する電解水生成装置に関する。
【背景技術】
【０００２】
水素分子が溶け込んだ電解水素水（還元水）を生成できる電解水生成装置が知られている。電解水素水は、胃腸症状の改善に優れた効果を発揮するとして注目されている。また、電解水素水は、活性酸素の除去に適しているとして、酸化ストレスの低減に活用されている。
【０００３】
近年、普段の生活の中で電解水素水を気軽に摂取できるように、家庭用の電解水生成装置が普及しつつある。例えば、特許文献１には、水道水を浄化する着脱自在な浄水カートリッジ、浄水カートリッジによって浄化された水を電気分解する電解槽、及び、電解槽を制御する制御回路が実装された回路基板を備えた電解水生成装置が開示されている。
【先行技術文献】
【特許文献】
【０００４】
【特許文献１】特開２０００−３５０９８９号公報
【０００５】
電解水生成装置では、浄水カートリッジ及び電解槽の内部には水が満たされており、何らかの事情により、それらから水漏れが発生すると、制御回路に影響を及ぼすおそれがある。特に、ユーザーの手によって浄水カートリッジの交換がなされる家庭用の電解水生成装置では、水漏れから制御回路を効果的に保護する構造が求められている。
【０００６】
さらに、キッチンのシンク周辺に設置されることの多い家庭用の電解水生成装置は、小型化が強く要望されている。このため、コンパクトでありながら、浄水カートリッジ、電解槽及び回路基板を強固に保持できる強靱なフレーム構造も求められている。
【発明の概要】
【発明が解決しようとする課題】
【０００７】
本発明は、以上のような実状に鑑み案出されたもので、浄水カートリッジ、電解槽及びその周辺に生じた水漏れから制御回路を保護することができ、かつ、強靱なフレーム構造で、浄水カートリッジ、電解槽及び回路基板を強固に保持できる電解水生成装置を提供することを主たる目的としている。
【課題を解決するための手段】
【０００８】
本発明は、内部に収容空間を区画するケースと、前記収容空間を複数の空間に区分するフレームとを備え、前記収容空間内には、水道水を浄化する浄水カートリッジ、前記浄水カートリッジによって浄化された水を電気分解する電解槽、及び、前記電解槽を制御する制御回路が実装された回路基板が配された電解水生成装置であって、前記フレームは、前記収容空間を、前記浄水カートリッジが収容される第１空間と前記電解槽及び前記回路基板が収容される第２空間とに区分する第１隔壁と、前記第２空間を、前記電解槽が収容される第３空間と前記回路基板が収容される第４空間とに区分する第２隔壁とを有し、前記第１隔壁と前記第２隔壁とは、平面視でＴ字状に固着され、前記第４空間は、前記第１隔壁及び前記第２隔壁によって、前記第１空間及び前記第３空間から防水状態で隔離されていることを特徴とする。
【０００９】
本発明に係る前記電解水生成装置において、前記浄水カートリッジと前記電解槽とは、第１配管を介して接続され、前記フレームは、前記第１空間及び前記第４空間の下方に、前記第１配管が収容される第５空間を区画する第３隔壁をさらに有し、前記第１隔壁の下端及び前記第２隔壁の下端は、前記第３隔壁と固着され、前記第４空間は、前記第３隔壁によって、前記第５空間から防水状態で隔離されていることが望ましい。
【００１０】
本発明に係る前記電解水生成装置において、前記電解槽には、前記電解槽で生成された電解水素水を送出する第２配管と、前記電解槽で生成された電解酸性水を送出する第３配管とが接続され、前記第２配管及び前記第３配管は、前記第５空間に収容されていることが望ましい。
【００１１】
本発明に係る前記電解水生成装置において、前記ケースは、前記第３隔壁と平行にのび、前記ケースの底部を閉じる底壁を有し、前記底壁の少なくとも一部は、その下方に第６空間を形成する上げ底部を含んでいることが望ましい。
【００１２】
本発明に係る前記電解水生成装置において、前記第２配管には、前記電解水素水を前記ケースの外部に送出する水素水送出ホースが接続され、前記第３配管には、前記電解酸性水を前記ケースの外部に送出する酸性水送出ホースが接続され、前記水素水送出ホース及び前記酸性水送出ホースは、前記第６空間を通って前記ケースの外部へとのびていることが望ましい。
【００１３】
本発明に係る前記電解水生成装置において、前記水素水送出ホース及び前記酸性水送出ホースは、平面視で前記第２隔壁より前記第３空間の側に設けられていることが望ましい。
【００１４】
本発明に係る前記電解水生成装置において、前記回路基板には電源ケーブルが接続され、前記電源ケーブルは、前記第６空間を通って前記ケースの外部へとのび、平面視で前記第２隔壁より前記第４空間の側に設けられていることが望ましい。
【００１５】
本発明に係る前記電解水生成装置において、前記ケースは、前記電源ケーブルを係止するケーブル係止手段を有することが望ましい。
【発明の効果】
【００１６】
本発明の電解水生成装置は、内部に収容空間を区画するケースと、第１隔壁と第２隔壁とを有するフレームとを備える。第１隔壁によって浄水カートリッジが収容される第１空間が区分される。第１隔壁及び第２隔壁によって電解槽が収容される第３空間と回路基板が収容される第４空間とが区分される。第１隔壁と第２隔壁とは、平面視でＴ字状に固着されているので、フレームの曲げ剛性及びねじれ剛性が高められる。さらに、第４空間は、第１隔壁及び第２隔壁によって、第１空間及び第３空間から防水状態で隔離されているので、浄水カートリッジ又は電解槽を収容する第１空間又は第３空間で水漏れが発生しても、第４空間の防水状態は維持され、制御回路が保護される。
【図面の簡単な説明】
【００１７】
【図１】本発明の電解水生成装置の一実施形態の外観を示す斜視図である。
【図２】図１の電解水生成装置の内部構造を示す平断面図である。
【図３】図２の電解水生成装置の構成を示すブロック図である。
【図４】図２浄水カートリッジを交換する際の電解水生成装置の斜視図である。
【図５】図２のケースを透視してフレームの構造を示す斜視図である。
【図６】図１の電解水生成装置の内部構造を示す側断面図である。
【図７】図１の電解水生成装置における各ホース及び電源ケーブルの取り回し例を示す底面図である。
【図８】図１の電解水生成装置における各ホース及び電源ケーブルの別の取り回し例を示す底面図である。
【図９】図１の電解水生成装置の側面図である。
【発明を実施するための形態】
【００１８】
以下、本発明の実施の一形態が図面に基づき説明される。
図１は、本実施形態の電解水生成装置１の外観を示す斜視図である。図２は、電解水生成装置１の内部構造を示す断面図である。本実施形態の電解水生成装置１は、内部に収容空間２０を区画するケース２と、収容空間２０を複数の空間に区分するフレーム３とを備えている。
【００１９】
ケース２は、電解水生成装置１の外表面を形成すると共に、収容空間２０に配されている各種部品を被い保護する。ケース２は、平面視で長手方向を有する矩形状に形成されている。フレーム３は、収容空間２０に配されている各種部品を保持する。
【００２０】
図３は、電解水生成装置１のブロック図である。図２、３に示されるように、電解水生成装置１は、水道水を浄化する浄水カートリッジ５と、浄水カートリッジ５によって浄化された水を電気分解する電解槽６と、電解槽６を制御する制御回路７０が実装された回路基板７とを備えている。
【００２１】
浄水カートリッジ５は、円柱状に形成されており、収容空間２０の端部に起立姿勢で装着される。浄水カートリッジ５は、フレーム３に対して着脱自在に構成されている。浄水カートリッジ５によって浄化された水は、電解槽６に供給される。
【００２２】
電解槽６は、隔膜６ａで区分された陽極室６ｂと陰極室６ｃとを有する。陽極室６ｂに設けられた陽極板６ｄと、陰極室６ｃに設けられた陰極板６ｅとの間に直流電圧が印加されると、電気分解により陰極室６ｃで電解水素水が、陽極室６ｂで電解酸性水がそれぞれ生成される。陽極板６ｄと陰極板６ｅとの間に印加する直流電圧は、例えば、制御回路７０によって制御される。
【００２３】
制御回路７０は、回路基板７と、回路基板７に実装されたＬＳＩ、ＩＣ、トランス、コンデンサ等の各種の電子部品等とによって構成されている。回路基板７の一例として、一般的なプリント回路基板が挙げられるが、フレキシブルプリント基板であってもよい。
【００２４】
制御回路７０は、電源部７１と、極性切替部７２と、制御部７３を備えている。電源部７１は、プラグ７１ａを介して商用交流電源に接続され、制御部７３から入力された制御信号に応じて、陽極板６ｄ及び陰極板６ｅに直流電圧を印加する。極性切替部７２は、制御部７３から入力された制御信号に応じて、陽極板６ｄ及び陰極板６ｅに印加する直流電圧の極性を切り替える。
【００２５】
制御部７３は、各部の制御を司る。例えば、制御部７３は、電源部７１、極性切替部７２、陽極板６ｄ及び陰極板６ｅ等によって構成される回路に設けられている電流計（図示せず）から入力される信号や電源部７１の出力電圧に基づいて、電源部７１の出力をフィードバック制御する。さらに、制御部７３は、時間を計数し、所定時間が経過する毎に、極性切替部７２等の切替動作を制御する。極性切替部７２等の切替動作の制御は、上記時間によって管理する形態に替えて、又は上記時間によって管理する形態に加えて、浄水カートリッジ５から送水される水量によって管理する形態であってもよい。この場合、制御部７３は、例えば、浄水カートリッジ５の下流に設けられた流量計（図示せず）から入力される信号に基づいて、浄水カートリッジ５から送水される水量を積算し、所定水量が送水される毎に、極性切替部７２等の切替動作を制御する。さらに、極性切替部７２等の切替動作の制御は、所定の動作が行なわれる毎になされるものであってもよい。
【００２６】
図４には、ケース２の本体２１からハッチ２２を外した状態の電解水生成装置１が示される。図４では、ケース２の本体２１は、２点鎖線にて示され、電解水生成装置１の内部構成の一部が透視されている。ハッチ２２は、浄水カートリッジ５に隣接して設けられており、ハッチ２２が本体２１から外されることにより、浄水カートリッジ５が露出され、交換可能とされる。
【００２７】
図５には、電解水生成装置１のケース２及びフレーム３が示される。ケース２は、２点鎖線で示されている。フレーム３は、ケース２を透視することにより、実線及び１点鎖線で示されている。
【００２８】
図２、４及び５に示されるように、フレーム３は、第１隔壁３１と、第２隔壁３２とを有している。第１隔壁３１は、ケース２の収容空間２０を、浄水カートリッジ５が収容される第１空間２Ａと電解槽６及び回路基板７が収容される第２空間２Ｂとに区分する。第２隔壁３２は、第２空間２Ｂを、電解槽６が収容される第３空間２Ｃと回路基板７が収容される第４空間２Ｄとに区分する。回路基板７は、金属板からなるシャーシ７４と共に、第２隔壁３２に装着されている。回路基板７は、第２隔壁３２と略平行に配設されている。
【００２９】
第１隔壁３１と第２隔壁３２とは、平面視でＴ字状に固着されている。「Ｔ字状に固着されている」とは、２つの隔壁が略垂直に接合されていることをいう。本実施形態では、第１隔壁３１の一部が、浄水カートリッジ５に沿って平面視で円弧状に形成されているが、第１隔壁３１と第２隔壁３２とが接合される部分において、第１隔壁３１と第２隔壁３２とのなす角度は、略９０゜である。これにより、簡素な構成でフレーム３の曲げ剛性及びねじれ剛性を高めることが可能となり、浄水カートリッジ５、電解槽６及び回路基板７が強固に保持される。
【００３０】
回路基板７が収容される第４空間２Ｄは、第１隔壁３１及び第２隔壁３２によって、第１空間２Ａ及び第３空間２Ｃから防水状態で隔離されている。第４空間２Ｄが第１空間２Ａ及び第３空間２Ｃから隔離されている防水状態とは、第１隔壁３１及び第２隔壁３２に水滴等が通過する開口が存在しない状態又は開口が存在してもその開口にグロメット等の封止部材が装着され、実質的又は実用的な防水状態が維持されている状態である。
【００３１】
本実施形態では、第１隔壁３１及び第２隔壁３２によって、第４空間２Ｄが、第１空間２Ａ及び第３空間２Ｃから防水状態で隔離されているので、浄水カートリッジ５又は電解槽６を収容する第１空間２Ａ又は第３空間２Ｃで水漏れが発生しても、第４空間２Ｄの防水状態は維持され、制御回路７０が第１空間２Ａ又は第３空間２Ｃで漏れた水から保護される。
【００３２】
図６は、電解水生成装置１の側断面を示している。図５、６に示されるように、フレーム３は、第１空間２Ａ及び第４空間２Ｄの下方に、第５空間２Ｅを区画する第３隔壁３３をさらに有している。第５空間２Ｅには第１配管４１、第２配管４２、第３配管４３及び第４配管４４が収容されている。
【００３３】
第１配管４１は、浄水カートリッジ５と電解槽６とに接続され、浄水カートリッジ５で浄化された水を電解槽６の陽極室６ｂ及び陰極室６ｃに供給する。第２配管４２は、電解槽６に接続され、その陰極室６ｃで生成された電解水素水を送出する。第３配管４３は、電解槽６に接続され、その陽極室６ｂで生成された電解酸性水を送出する。第４配管４４は、浄水カートリッジ５に接続され、水道水を浄水カートリッジ５に供給する。
【００３４】
第１配管４１、第２配管４２及び第３配管４３は、流路切替弁４５を介して電解槽６に接続されている。第１配管４１は、流路切替弁４５の手前で第１子配管４１ａ及び第１子配管４１ｂに分岐する。流路切替弁４５は、第１流路切替弁４５ａと第２流路切替弁４５ｂとを有する。流路切替弁４５は、駆動モーター（図示せず）の動力によって駆動される。第１流路切替弁４５ａは、制御部７３から入力された制御信号に応じて駆動モーターが駆動されることにより、第１子配管４１ａ及び第１子配管４１ｂと、陽極室６ｂ及び陰極室６ｃとの接続を切り替える。第２流路切替弁４５ｂは、制御部７３から入力された制御信号に応じて駆動モーターが駆動されることにより、電解槽６の陽極室６ｂ及び陰極室６ｃと第２配管４２及び第３配管４３との接続を切り替える。
【００３５】
制御部７３による管理の下で、極性切替部１２及び流路切替弁４５は、同期して動作可能である。より具体的には、極性切替部１２が極板の極性を切り替えることにより、陽極室６ｂと陰極室６ｃとが相互に入れ替わる。このとき、流路切替弁４５が動作して流路が切り替わることにより、極板の極性が切り替わっても、第２配管４２からは陰極室６ｃで生成された電解水素水が送出され、第３配管４３からは陽極室６ｂで生成された電解酸性水が送出される。なお、極性切替部１２又は流路切替弁４５が単独で動作することにより、第２配管４２から陽極室６ｂで生成された電解酸性水を送出し、第３配管４３から陰極室６ｃで生成された電解水素水を送出することも可能である。
【００３６】
図５、６に示されるように、第１隔壁３１の下端３１ａ及び第２隔壁３２の下端３２ａは、第３隔壁３３と固着されている。これにより、第４空間２Ｄは、第３隔壁３３によって、第５空間２Ｅから防水状態で隔離される。従って、第１配管４１、第２配管４２、第３配管４３及び流路切替弁４５等を収容する第５空間２Ｅで水漏れが発生しても、第４空間２Ｄの防水状態は維持され、制御回路７０が第５空間２Ｅで漏れた水から保護される。
【００３７】
図６に示されるように、ケース２は、本体２１の内側下部に台座２３を備える。台座２３の上方には、フレーム３が搭載される。台座２３は、フレーム３を支持する。台座２３は、ケース２の底部を閉じる底壁２４を有している。底壁２４は、実質的に第３隔壁３３と平行にのびている。底壁２４は、その下方に第６空間２Ｆを形成する上げ底部２５を含んでいる。本実施形態では、底壁２４の４隅を除いた領域に上げ底部２５が形成されているが、底壁２４の少なくとも一部に上げ底部２５が形成されていればよい。例えば、上げ底部２５は、第１配管４１、第２配管４２、第３配管４３及び第４配管４４に対応する形状に形成されていてもよい。かかる上げ底部２５によれば、電解水生成装置１の高さを抑え、小型化を図ることができる。
【００３８】
上げ底部２５には、管継手４６、４７及び４８が装着されている。管継手４６、４７及び４８は、第６空間２Ｆに突出して装着されている。管継手４６の基端は第２配管４２と、管継手４７の基端は第３配管４３と及び管継手４８の基端は第４配管４４とそれぞれ接続されている。 管継手４６の先端には水素水送出ホース５１が、管継手４７の先端には酸性水送出ホース５２が、管継手４８の先端には水道水供給ホース５３がそれぞれ接続されている。
【００３９】
水素水送出ホース５１は、第２配管４２を流れる電解水素水をケース２の外部に送出する。酸性水送出ホース５２は、第３配管４３を流れる電解酸性水をケース２の外部に送出する。水道水供給ホース５３は、第４配管４４を介して水道水を浄水カートリッジ５に供給する。水素水送出ホース５１、酸性水送出ホース５２及び水道水供給ホース５３は、第６空間２Ｆを通ってケース２の外部へとのびている。
【００４０】
水素水送出ホース５１及び水道水供給ホース５３の先端は、例えば、キッチンの水道蛇口に設けられた分岐水栓（図示せず）に接続される。酸性水送出ホース５２の先端は、例えば、シンク（図示せず）に固定される。電解水生成装置１をキッチンに設置する際に、キッチンのレイアウトに応じて、水素水送出ホース５１、酸性水送出ホース５２及び水道水供給ホース５３の取り回しを自由に変更できるように、管継手４６、４７及び４８は、台座２３に対して回動自在に設けられている。
【００４１】
図２及び６に示されるように、電解水生成装置１の電源ケーブル７１ｂは、回路基板７上の制御回路７０から第４空間２Ｄ及び第６空間２Ｆを通ってケース２の外部へとのびている。本実施形態では、フレーム３の第３隔壁３３には、電源ケーブル７１ｂを挿通させるための挿通部３４が形成されている。また、台座２３の底壁２４には、電源ケーブル７１ｂを挿通させるための貫通孔２６が形成されている。貫通孔２６には、第６空間２Ｆから第４空間２Ｄを防水状態で隔離すると共に、電源ケーブル７１ｂを保護するためのグロメット２７が装着されている。
【００４２】
図１、４及び６に示されるように、ケース２の長手方向端面２８ａ、２８ｂの下部には、水素水送出ホース５１、酸性水送出ホース５２、水道水供給ホース５３及び電源ケーブル７１ｂを挿通させてケース２の外部に導くための開口２９ａ、２９ｂが設けられている。開口２９ａ、２９ｂは、本体２１、ハッチ２２及び台座２３の側端面に形成されている。キッチンのレイアウトに応じて、水素水送出ホース５１、酸性水送出ホース５２、水道水供給ホース５３及び電源ケーブル７１ｂの取り回しを変更できるように、開口２９ａが第１空間２Ａ側の長手方向端面２８ａに、開口２９ｂが第２空間２Ｂ側の長手方向端面２８ｂに、それぞれ設けられている。
【００４３】
図７及び図８は、水素水送出ホース５１、酸性水送出ホース５２、水道水供給ホース５３及び電源ケーブル７１ｂの取り回しのバリエーションを、電解水生成装置１の底面図で示している。図７では、電源ケーブル７１ｂが、開口２９ａからケース２の外部に引き出された形態が示され、（ａ）は、水素水送出ホース５１、酸性水送出ホース５２及び水道水供給ホース５３（以下、水素水送出ホース５１等とする）が開口２９ｂからケース２の外部に引き出された形態であり、（ｂ）は、水素水送出ホース５１等が開口２９ａからケース２の外部に引き出された形態である。図８では、電源ケーブル７１ｂが、開口２９ｂからケース２の外部に引き出された形態が示され、（ａ）は、水素水送出ホース５１等が開口２９ｂからケース２の外部に引き出された形態であり、（ｂ）は、水素水送出ホース５１等が開口２９ａからケース２の外部に引き出された形態である。
【００４４】
本実施形態では、管継手４６及び４７が、平面視（底面視）で第２隔壁３２より第３空間２Ｃの側に設けられている。これに伴い、図７、８に示されるいずれの形態においても、水素水送出ホース５１及び酸性水送出ホース５２は、平面視で第２隔壁３２より第３空間２Ｃの側をのびてケース２の外部に引き出される。さらに、水道水供給ホース５３は、水素水送出ホース５１又は酸性水送出ホース５２に隣接しながらのびてケース２の外部に引き出される。
【００４５】
一方、電源ケーブル７１ｂを挿通させるための貫通孔２６は、平面視で第２隔壁３２より第４空間２Ｄの側に設けられている。これに伴い、図７、８に示されるいずれの形態においても、電源ケーブル７１ｂは、平面視で第２隔壁３２より第４空間２Ｄの側をのびてケース２の外部に引き出される。これにより、水素水送出ホース５１等と電源ケーブル７１ｂとが第６空間２Ｆで互いに絡み合うことが抑制される。従って、電解水生成装置１の設置作業が容易に行えるようになる。
【００４６】
図９は、ケース２の長手方向端面２８ａ及び２８ｂを示している。台座２３の開口２９ａ及び２９ｂには、電源ケーブル７１ｂを係止するケーブル係止部（ケーブル係止手段）２９ｃが設けられている。ケーブル係止部２９ｃは、開口２９ａ及び２９ｂの第４空間２Ｄ側の端縁から突設されている。ケーブル係止部２９ｃは、側面視で釣り針状に形成されている。
【００４７】
図７乃至９に示されるように、電源ケーブル７１ｂがケーブル係止部２９ｃに係止されることにより、電源ケーブル７１ｂが平面視で第２隔壁３２より第４空間２Ｄの側に留められる。これにより、水素水送出ホース５１等と電源ケーブル７１ｂとが第６空間２Ｆで互いに絡み合うことがより一層抑制される。従って、電解水生成装置１の設置作業が容易に行えるようになる。
【００４８】
図２に示されるように、本実施形態の浄水カートリッジ５には、浄水カートリッジのＩＤ情報を記憶するＲＦＩＤ（Radio Frequency Identification）タグ５ａが埋設されている。ＲＦＩＤタグ５ａに記憶されたＩＤ情報は、ＩＤ読み取り部（ＩＤ読み取り手段）７６によって非接触通信にて読み取られる。ＩＤ読み取り部７６は、回路基板７７と回路基板７７に実装されている電子部品等によって構成されている。ＩＤ読み取り部７６によって読み取られたＩＤ情報は、制御部７３に出力される。
【００４９】
回路基板７７は、第１隔壁３１と第２隔壁３２とによって区分された第４空間２Ｄに設けられている。より具体的には、回路基板７７は、第１隔壁３１の第４空間２Ｄ側の壁面に沿って配設されている。第１隔壁３１を挟んでＲＦＩＤタグ５ａとＩＤ読み取り部７６との間で、無線通信がなされる。既に述べたように、第４空間２Ｄは、隣り合う第１空間２Ａ、第３空間２Ｃ及び第５空間２Ｅから防水状態で隔離されているので、第１空間２Ａ、第３空間２Ｃ及び第５空間２Ｅで水漏れが発生しても、第４空間２Ｄの防水状態は維持され、ＩＤ読み取り部７６が第１空間２Ａ、第３空間２Ｃ及び第５空間２Ｅで漏れた水から保護される。
【００５０】
以上のような構成を有する本実施形態の電解水生成装置１によれば、第１隔壁３１によって浄水カートリッジ５が収容される第１空間２Ａが区分され、第１隔壁３１及び第２隔壁３２によって電解槽６が収容される第３空間２Ｃと回路基板７が収容される第４空間２Ｄとが区分される。第１隔壁３１と第２隔壁３２とは、平面視でＴ字状に固着されているので、フレーム３の曲げ剛性及びねじれ剛性が高められる。これにより、コンパクトでありながら、浄水カートリッジ５、電解槽６及び回路基板７を強固に保持するフレーム３が得られ、電解水生成装置１のデザイン性を高めることが可能となる。さらに、第４空間２Ｄは、第１隔壁３１及び第２隔壁３２によって、第１空間２Ａ及び第３空間２Ｃから防水状態で隔離されているので、浄水カートリッジ５又は電解槽６等で水漏れが発生しても、第４空間２Ｄの防水状態は維持され、制御回路７０が保護される。
【００５１】
以上、本発明の電解水生成装置１が詳細に説明されたが、本発明は上記の具体的な実施形態に限定されることなく種々の態様に変更して実施される。すなわち、電解水生成装置１は、少なくとも、フレーム３が、ケース２の収容空間２０を、浄水カートリッジ５が収容される第１空間２Ａと、電解槽６が収容される第３空間２Ｃと、回路基板７が収容される第４空間２Ｄとに区分する第１隔壁３１及び第２隔壁３２を有し、第１隔壁３１と第２隔壁３２とは、平面視でＴ字状に固着され、第４空間２Ｄは、第１隔壁３１及び第２隔壁３２によって、第１空間２Ａ及び第３空間２Ｃから防水状態で隔離されていればよい。
【符号の説明】
【００５２】
１    電解水生成装置
２    ケース
２Ａ    第１空間
２Ｂ    第２空間
２Ｃ    第３空間
２Ｄ    第４空間
２Ｅ    第５空間
２Ｆ    第６空間
３    フレーム
５    浄水カートリッジ
５ａ    ＲＦＩＤタグ
６    電解槽
７    回路基板
２４    底壁
２５    上げ底部
２９ｃ    ケーブル係止部（ケーブル係止手段）
３１    第１隔壁
３２    第２隔壁
３３    第３隔壁
４１    第１配管
４２    第２配管
４３    第３配管
５１    水素水送出ホース
５２    酸性水送出ホース
７０    制御回路
７１ｂ    電源ケーブル
７６    ＩＤ読み取り部（ＩＤ読み取り手段）
【図１】
0005906266.tif 000002
【図２】
0005906266.tif 000003
【図３】
0005906266.tif 000004
【図４】
0005906266.tif 000005
【図５】
0005906266.tif 000006
【図６】
0005906266.tif 000007
【図７】
0005906266.tif 000008
【図８】
0005906266.tif 000009
【図９】
0005906266.tif 000010